(57)【要約】【課題】カラーコーンを照明付きのものとし、しかも電池の交換を不要とすると共に電源への接続なども不要とし、設置作業及び保守作業が簡単に行えるようにすること。【解決手段】カラーコーンにソーラーパネルを配設すると共に、前記ソーラーパネルにより充電される充電池と、前記充電池に接続した発光ダイオードを設ける。そしてソーラーパネルと充電池と発光ダイオードを一体型の点灯装置部とし、カラーコーン本体を截頭円錐体形状とし、このカラーコーン本体の截頭円錐体形状の頂部に対して点灯装置部を嵌脱自在とすると共に、ソーラーパネルは点灯装置部の上面に設けた。【選択図】  図１
2004250982.tif 000002
【特許請求の範囲】
【請求項１】
カラーコーンの任意箇所にソーラーパネルを配設すると共に、カラーコーン内に前記ソーラーパネルにより充電される充電池と、前記充電池に接続した発光ダイオードを設けたことを特徴とするカラーコーン。
【請求項２】
ソーラーパネルと充電池と発光ダイオードを一体型の点灯装置部とし、この点灯装置部をカラーコーンの任意箇所に着脱可能とした請求項１記載のカラーコーン。
【請求項３】
点灯装置部をカラーコーンの頂部に着脱可能とした請求項２記載のカラーコーン。
【請求項４】
カラーコーン本体を截頭円錐体形状とし、このカラーコーン本体の截頭円錐体形状の頂部に対して点灯装置部を嵌脱自在とすると共に、ソーラーパネルは点灯装置部の上面に設けた請求項３記載のカラーコーン。
【請求項５】
点灯装置部に設けたソーラーパネルを太陽に対し角度調整可能とした請求項３又は請求項４記載のカラーコーン。
【請求項６】
カラーコーンは略円錐体形状とし、点灯装置部以外は空洞とし、この空胴部を利用してカラーコーンの底部から他のカラーコーンを頂部から差し込んで重ねられるようにした請求項１，請求項２，請求項３又は請求項４記載のカラーコーン。
【請求項７】
点灯装置部に光導電セルを設け、一定以上の暗さになった場合に発光ダイオードを点灯させるようにした請求項１，請求項２，請求項３又は請求項４記載のカラーコーン。
【発明の詳細な説明】
【０００１】
【発明の属する技術分野】
この発明は、道路の工事現場などにおいて使用されるカラーコーンに関するものであり、特に夜間など暗いときに目立つようにした自発光式のカラーコーンに関するものである。
【０００２】
【従来の技術】
カラーコーンは工事区域を示すためなどに使用されるものであるが、夜間は見えにくい欠点があり、それを補うためにカラーコーンに反射材を取り付けたりして自動車のヘッドライトなどに対して反射して積極的にその存在を示すような工夫がされている。
【０００３】
更に、カラーコーン内に電球を設けこの電球を点灯することにより、反射材に頼ることなく積極的にその存在をアピールするようなものも用いられている。そして、電球により照明を行うカラーコーンには大別して、電源をカラーコーンに内蔵した電池によって行うものと、電源を外部に設けこの外部の電源に電線を接続しこの電線をカラーコーン内部に引き込んでカラーコーン内で電球を点灯させるようにするものの二通りのものがある。
【０００４】
【発明が解決しようとする課題】
電池で行う方法のものは、設置は簡単であるが電池の寿命をいちいちチェックしなければならず、また電池切れにより夜間知らないうちに消灯してしまうことがある。さらに、照明に電球を使用しているものは消費電力が大きいため電池の持続時間が短いものとなっている。
【０００５】
また、電球と電池より構成した照明部をカラーコーンとは別体とし、カラーコーンの頂部などにこの照明部を差し込むようにしたものもあるが、設置や収納作業に余計な手間がかかり、また照明部が簡単に取り外せるために盗難やいたずらなどにもあい易い欠点があった。
【０００６】
一方、外部の電源から電線を引き込んでカラーコーン内の電球を点灯させるものは、電池の寿命を心配する必要はないが、必ず外部に１００Ｖや大容量のバッテリーなどの電源を必要とし、更に設置時には多数のカラーコーンにそれぞれ電線を接続する必要があり設置作業が面倒である。また、電線を引き回す必要があるので、設置箇所の制約も受け易い。
【０００７】
【課題を解決するための手段】
すなわち、設置を簡単にするためにはカラーコーン個々に電力供給可能な電源を有することが望ましく、しかもこの電源が人手に頼ることなく常に電気を供給可能な状態となっていることが望ましいことになる。また、電池の持続時間を長くするためには消費電力が小さい発光体を使用するのが望ましい。
【０００８】
さらにまた、設置時や収納保管時の便宜のためにはカラーコーンと照明部が一体となっている構造の方が従来のカラーコーンと同様に取り扱えて便利であるとともに照明部の盗難防止にもなる。しかし、照明部が故障した場合などには修理が簡単に行えるような構造となっている方が便利であるとともに経済的でもある。
【０００９】
そこで、この発明にかかるカラーコーン（請求項１）はカラーコーンの任意箇所にソーラーパネルを配設すると共に、カラーコーン内に前記ソーラーパネルにより充電される充電池と、前記充電池に接続した発光ダイオードを設けたものである。
【００１０】
また、この発明にかかるカラーコーン（請求項２）は請求項１に加えソーラーパネルと充電池と発光ダイオードを一体型の点灯装置部とし、この点灯装置部をカラーコーンの任意箇所に着脱可能としたものである。
【００１１】
さらに、この発明にかかるカラーコーン（請求項３）は請求項２に加え点灯装置部をカラーコーンの頂部に着脱可能としたものである。
【００１２】
さらにまた、この発明にかかるカラーコーン（請求項４）は請求項３に加えカラーコーン本体を截頭円錐体形状とし、このカラーコーン本体の截頭円錐体形状の頂部に対して点灯装置部を嵌脱自在とすると共に、ソーラーパネルは点灯装置部の上面に設けたものである。
【００１３】
また、この発明にかかるカラーコーン（請求項５）は請求項４に加え点灯装置部に設けたソーラーパネルを太陽に対し角度調整可能としたものである。
【００１４】
さらに、この発明にかかるカラーコーン（請求項６）は請求項１〜請求項４に加えカラーコーンは略円錐体形状とし、点灯装置部以外は空洞とし、この空胴部を利用してカラーコーンの底部から他のカラーコーンを頂部から差し込んで重ねられるようにしたものである。
【００１５】
さらにまた、この発明にかかるカラーコーン（請求項７）は請求項１〜請求項４に加え点灯装置部に光導電セルを設け、一定以上の暗さになった場合に発光ダイオードを点灯させるようにしたものである。
【００１６】
【作用】
日中ソーラーパネル（太陽電池）は太陽光を受けることにより発電し、この電力により充電池は充電される。そして、日が落ちて光導電セルが一定の明るさ以下になったことを検知すると、充電池から発光ダイオードに電流が流れ発光ダイオードが点灯する。また、朝になり光導電セルが一定の明るさ以上になったことを検知すると、充電池から発光ダイオードへの電流がＯＦＦとなり発光ダイオードは消灯する。そして、日中は発光ダイオードはＯＦＦの状態で充電池はソーラーパネルにより充電されることになる。よって、発光ダイオードは他からの電源を用いずに夜間の点灯と日中の消灯を自動的に繰り返すことになる。
【００１７】
【発明の実施の形態】
［実施例１］
次に、この発明にかかるカラーコーンの一実施例を図１及び図２に基づいて説明する。１は截頭円錐体形状のカラーコーン本体であり、上下方向には開放してカラーコーン本体１内部は空洞部２となっている。また、截頭円錐体形状の頂部３の内側面には螺子部４が形成してある。カラーコーン本体１は従来から一般に使用されているカラーコーンに相当する部分であり、光透過性の素材であれば何で形成してもよいが、通常はプラスチックにより成形する。また、色も用途により従来から使用されているものが各種選択できる。
【００１８】
５はソーラーパネル６と充電池７と発光ダイオード８より構成した点灯装置部である。点灯装置部５は截頭円錐体形状のカラーコーン本体１の頂部３と略同径の筒状をしており上面にはソーラーパネル６を設けると共に下部外周部には前記カラーコーン本体１の螺子部４と螺合する螺子部９が形成してある。
【００１９】
そして、点灯装置部５内に充放電可能な充電池７、例えばニッカド電池やリチウムイオン電池やニッケル水素電池などを収納し、ソーラーパネル６と接続してソーラーパネル６により充電可能とする。なお、ソーラーパネル６は太陽電池をパネル状にして並べたものであり、パネルとしては硬質タイプのものと軟質タイプのものがあるが、使用箇所などに応じて現在使用されている各種形式のものが使用できる。ただし、使用環境が厳しいので耐久性に優れたものを使用するのが望ましい。
【００２０】
また、所望数の発光ダイオード８をカラーコーン本体１の空胴部２に向けて照射可能なように点灯装置部５に設け、充電池７と接続して充電池により発光ダイオード８が点灯するようにする。発光ダイオード８の数や色や設置箇所は用途などにより自由に選択可能であるが、カラーコーンとしての機能を発揮するためにはカラーコーン全体が照明されるようなものが望ましい。
【００２１】
１０はソーラーパネル６の横に設けた光導電セル（ＣｄＳ）であり、充電池７と発光ダイオード８の間に接続し、一定照度以下となると充電池７から発光ダイオード８に電流が流れるようにしてある。なお、光導電セル（ＣｄＳ）１０に代えて、使用場所などによっては赤外線や紫外線の検知感度に優れた他の光導電素子を使用してもよい。
【００２２】
１１は手動により点灯と消灯を切り替えられるようにした手動スイッチであり、道路照明などが明るいところやトンネル内などで強制的に点灯させたい場合、或いは保管時など点灯不要な場合に消灯させておくためである。なお、光導電セル１０や手動スイッチ１１は必ずしもなくてもよい。また、自動車のヘッドライトなどにより瞬間的に照らされた場合に光導電セル１０がその明かりを検知して発光ダイオード８が消えないようにするために、光導電セル１０の感度調整スイッチや遅延タイマーなどを回路に組み込んでもよい。
【００２３】
なお、図面においてはソーラーパネル６が出っ張っているが、上面が面一となるようにソーラーパネル６を設置してもよい。また、カラーコーン本体１と点灯装置部５はそれぞれに形成した螺子部４と螺子部９が螺合する構造としたが、ソーラーパネル６に嵌合用の突起を形成し、カラーコーン本体１にこれと嵌合する溝を形成してソーラーパネル６をカラーコーン本体１の頂部３に差し込んで若干回転させると突起と溝が嵌合するような構造としてもよい。
【００２４】
常時はカラーコーン本体１と点灯装置部６が一体となっているようにしておくと、従来のカラーコーンと同様にカラーコーン本体１の空胴部２を利用して底部から他のカラーコーンを頂部から差し込めるので、多数のカラーコーンを簡単に取り扱うことができる。そして、修理などで必要な場合には点灯装置部６を逆方向に回転させるだけで点灯装置部６がカラーコーン本体１から分離でき、点灯装置部６だけを簡単に交換することができる。
【００２５】
［実施例２］
図３に示すものは上記実施例１の変形例を示したものであり、点灯装置部６の上面を斜めに形成し、そこにソーラーパネル６を設けるようにしたものである。ソーラーパネル６を傾斜させることにより太陽光をより効率的に受光することができる。１２はマグネットコンパスであり、コンパスにより方位を簡単に知ることができるのでソーラーパネル６を太陽に対して最大効率を期待できる方向に向けてカラーコーン本体１を設置することができる。ソーラーパネル６の向きを変更するには、カラーコーン本体１ごと設置方向を変えてもよいが、螺子部９を緩める方向に点灯装置部６だけを捻って所望の方向まで回転させてもよい。
【００２６】
［実施例３］
図４に示すものは基本的には上記実施例１と同じであるが、点灯装置部５はカラーコーン本体１に対しビス１３により取り付けてある。ビス１３により固定することによりカラーコーン１と点灯装置部５は完全に一体化されることになり、通常の取扱はより便利なものとなる。なお、ビス１３を緩めることにより修理などを行う場合には点灯装置部５をカラーコーン本体１から取り外すことができる。
【００２７】
［実施例４］
図５に示すものは、頂部まで一体成形したカラーコーン１４の頂部にソーラーパネル６を設けた例である。そして、カラーコーン１４の内部にソーラーパネル６により充電される充電池７と、充電池７に接続してこの充電池７からの電力により点灯する発光ダイオード８を設ける。
【００２８】
なお、図示した実施例ではソーラーパネル６をカラーコーンの頂部に設けた例を示したが、ソーラーパネル６はカラーコーンの頂部に必ずしも設けなければならないものではなく、例えばカラーコーンの側面外周部や底部など太陽光を受けることが可能な面ならどこに設けてもよい。そして、充電池や発光ダイオードを設ける場所も自由であり、少なくとも発光ダイオードによりカラーコーンを内部より照らすことができればよい。
【００２９】
【発明の効果】
以上のように、この発明にかかるカラーコーン（請求項１）によればカラーコーンの任意箇所にソーラーパネルを配設すると共に、カラーコーン内に前記ソーラーパネルにより充電される充電池と、前記充電池に接続した発光ダイオードを設けたので、充電池はソーラーパネルにより日中自動的に充電され、夜間はこの充電池からの電力により発光ダイオードが点灯するのでメンテナンスフリーで照明付きのカラーコーンを利用することができる。また発光ダイオードを使用することにより電球と比べ、消費電力を少なくすることができると共に長寿命化が図れる。
【００３０】
また、この発明にかかるカラーコーン（請求項２）によればソーラーパネルと充電池と発光ダイオードを一体型の点灯装置部とし、この点灯装置部をカラーコーンの任意箇所に着脱可能としたので、通常は従来のカラーコーンと同様に取扱が可能でありながら、修理などが必要な場合は点灯装置部のみを交換できる。
【００３１】
さらに、この発明にかかるカラーコーン（請求項３）によれば点灯装置部をカラーコーンの頂部に着脱可能としたので、従来の使用されてきたカラーコーンを若干変更するだけで照明装置付きのものとすることができる。
【００３２】
さらにまた、この発明にかかるカラーコーン（請求項４）によればカラーコーン本体を截頭円錐体形状とし、このカラーコーン本体の截頭円錐体形状の頂部に対して点灯装置部を嵌脱自在とすると共に、ソーラーパネルは点灯装置部の上面に設けたので、通常は点灯装置部をカラーコーン本体が容易に分離しないように一体化されながら、必要に応じて点灯装置部のみを簡単にカラーコーン本体から取り外すことができる。
【００３３】
また、この発明にかかるカラーコーン（請求項５）によれば点灯装置部に設けたソーラーパネルを太陽に対し角度調整可能としたもので、ソーラーパネルが最大効率を得られる角度に受光面を向けることができる。
【００３４】
さらに、この発明にかかるカラーコーン（請求項６）によれば点灯装置部以外は空洞とし、この空胴部を利用してカラーコーンの底部から他のカラーコーンを頂部から差し込んで重ねることができるようにしたので、作業現場などにおいて多数のカラーコーンの設置作業や保管作業を簡単に行うことができる。
【００３５】
さらにまた、この発明にかかるカラーコーン（請求項７）によれば点灯装置部に光導電セルを設け、一定以上の暗さになった場合に発光ダイオードを点灯させるようにしたもので充電池の無用な消費を防ぐことができる。
【図面の簡単な説明】
【図１】この発明にかかるカラーコーン一実施例を示す正面図である。
【図２】図１に示すカラーコーンの点灯装置部の拡大斜視図である。
【図３】図１に示すカラーコーンの変形例を示す正面図である。
【図４】この発明にかかるカラーコーン他の実施例を示す正面図である。
【図５】この発明にかかるカラーコーン他の実施例を示す正面図である。
【符号の説明】
１  カラーコーン本体
２  空胴部
３  頂部
４  螺子部
５  点灯装置部
６  ソーラーパネル
７  充電池
８  発光ダイオード
９  螺子部
１０  光導電セル
１１  手動スイッチ
１２  マグネットコンパス
１３  ビス
１４  カラーコーン
【図１】
2004250982.tif 000003
【図２】
2004250982.tif 000004
【図３】
2004250982.tif 000005
【図４】
2004250982.tif 000006
【図５】
2004250982.tif 000007